(57)【特許請求の範囲】
【請求項１】
横方向に間隔を隔てて設置された第１と第２の側壁を有するハウジングと、
丸鋸を回転駆動するための、前記ハウジングに取付けられたモータと、
前記ハウジングから延設された把手と、
前記モータに隣接させて前記把手の直下に前記ハウジングに着脱自在に装着された再充電可能なバッテリと、
切り込み深さを調節するために前記ハウジングに回動可能に取付けられた調節可能なシューであって、該調節可能なシューは前記ハウジングの下側に配置され、これによって前記再充電可能なバッテリーが前記ハンドルと該調節可能なシューとの間に配置されるようにしたシューと、
前記調節可能なシューと前記ハウジングとの間の相対運動を防止するロック機構とを備え、
前記ロック機構は、前記第１の側壁に隣接して設けられた切り込み深さ調節ストラップと、前記第２の側壁に隣接して設けられたレバーと、前記切り込み深さ調節ストラップと前記レバーとを互いに連結して、前記レバーの回転が前記ハウジングに対する前記ストラップの動きを阻止する連結要素とを備えているバッテリ駆動式丸鋸工具。
【請求項２】
前記ハウジングがモータ／ギヤボックス領域を形成し、前記連結要素が前記モータ／ギヤボックス領域と前記再充電可能なバッテリの間に設けられた開口部を貫通している請求項１に記載のバッテリ駆動式丸鋸工具。
【請求項３】
前記ハウジングがボス部分を形成し、前記連結要素が前記ボス部分を貫通している請求項１に記載のバッテリ駆動式丸鋸工具。
【請求項４】
前記連結要素がねじ山付きの貫通ボルトを含んでいる請求項３に記載のバッテリ駆動式丸鋸工具。
【請求項５】
更に、前記連結要素と前記ボス部分との間に設けられたスリーブを備えている請求項４に記載のバッテリ駆動式丸鋸工具。
【請求項６】
前記貫通ボルトが、前記切り込み深さ調節ストラップの細長い溝内にスライド可能に受け入れられた非円形部分を備えている請求項５に記載のバッテリ駆動式丸鋸工具。
【発明の詳細な説明】
【０００１】
【発明の属する技術分野】
本発明は広義には動力工具に関する。更に詳しくは、本発明はバッテリ駆動式の丸鋸工具に関する。
【０００２】
【従来の技術】
種々の工具を再充電可能なバッテリで駆動することは周知である。例えば、米国特許第3,757,194 号には、着脱自在になバッテリパック付きのコードレス動力工具が開示されている。示された実施形態によれば、このコードレスの動力工具は、モータハウジングに着脱自在に取付けられたバッテリパックにより駆動される低木や生け垣用トリマである。コード付きの工具よりも有利な点は、これらのバッテリ駆動の工具は、動力用コードがコンセントに届く範囲での使用に限定されないことにある。更に、該バッテリ駆動の工具は、コードを持たないので工具の操作が不便でなく、使用中に誤ってこれを切断したりすることがない。
【０００３】
より限定的ではあるが、これまでにも丸鋸工具を再充電可能なバッテリで駆動することが提案されている。例えば、米国特許第4,555,849 号には、再充電可能なバッテリで駆動されるポータブル型の電動丸鋸工具が開示されている。これに開示されている工具は、横に張り出したバッテリ室に着脱自在に挿入できる再充電可能なバッテリを備えている。しかし、米国特許第4,555,849 号には、ハウジングに対して所望の切り込み深さでベースを固定する機構については何も開示されていない。
【０００４】
【発明が解決しようとする課題】
着脱自在になバッテリで丸鋸工具を駆動しようとする試みは或る程度は成功したが、幾つかの欠点を伴っていた。例えば、丸鋸工具を駆動するのに要する再充電可能なバッテリのサイズが大きいために包装し難い。この点に関して、従来公知の構成では、調節可能なベースすなわちシューをハウジングに対して固定して切り込み深さを定めるための容易に操作できるロック機構等の営業上望ましい特徴を組み入れることができなっかった。多くの丸鋸工具は、鋸盤の後部の鋸刃ガードの直ぐ隣に、平面図で見てガードと把手との間に切り込み深さ調節レバーを備えている。該レバーを緩めたり固定したりするのに、この領域にアクセスすることは難しい。このコントロール部の位置を鋸の左後部のもっと便利な位置に移動して、それが使用者と鋸盤の把手との間に位置するようにしたコード付きの鋸盤がある。公知のコードレス鋸盤の場合、バッテリの位置が邪魔をしてこの位置へのアクセスとその利用を制約している。バッテリ駆動式丸鋸工具を人間工学的に更に改善することも望まれている。
【０００５】
本発明の広義の目的は、バッテリ駆動式丸鋸工具を改良して上述した欠点を含む従来技術の欠点を解決することにある。
本発明の別の目的は、バッテリ駆動式丸鋸工具のための、操作し易い切り込み深さロック機構を提供することにある。
本発明の関連目的は、バッテリの前部の鋸盤本体を貫通する締め付けボルトを備え、レバーを鋸盤の左側に便利に位置決め可能とした切り込み深さロック機構を有するバッテリ駆動式丸鋸工具を提供することにある。
本発明の更に別の目的は、人間工学的に改善されたバッテリ駆動式丸鋸工具を提供することにある。
【０００６】
【課題を解決するための手段】
請求項１に記載の本発明は、横方向に間隔を隔てて設置された第１と第２の側壁を有するハウジングと、丸鋸を回転駆動するための、前記ハウジングに取付けられたモータと、前記ハウジングから延設された把手と、前記モータに隣接させて前記把手の直下に前記ハウジングに着脱自在に装着された再充電可能なバッテリと、切り込み深さを調節するために前記ハウジングに回動可能に取付けられた調節可能なシューであって、該調節可能なシューは前記ハウジングの下側に配置され、これによって前記再充電可能なバッテリーが前記ハンドルと該調節可能なシューとの間に配置されるようにしたシューと、前記調節可能なシューと前記ハウジングとの間の相対運動を防止するロック機構とを備え、前記ロック機構は、前記第１の側壁に隣接して設けられた切り込み深さ調節ストラップと、前記第２の側壁に隣接して設けられたレバーと、前記切り込み深さ調節ストラップと前記レバーとを互いに連結して、前記レバーの回転が前記ハウジングに対する前記ストラップの動きを阻止する連結要素とを備えているバッテリ駆動式丸鋸工具を要旨とする。
【０００８】
【発明の実施の形態】
図１〜図４には、本発明の好ましい実施形態により構成されたバッテリ駆動式丸鋸工具が符号１０で示されている。丸鋸工具１０はモータ（図示しない）を収容するハウジング１２を備えている。この工具は、更に、後で詳述するように、ハウジング１２に着脱自在に取付けられた再充電可能なバッテリパック１６を備えている。以下の説明から明らかなように、本発明の特徴は別のタイプのバッテリ駆動型の工具にも適用することができる。
【０００９】
本発明の１つの特徴は、特に、バッテリ駆動式丸鋸工具１０を所望の切り込み深さに固定するための構成である。本発明の別の特徴は、特に、この種の工具を人間工学的に改良することである。本発明のこれらの特徴について述べる前に、再充電可能なバッテリパック１６、および、バッテリパック１６と工具ハウジング１２との間の電気的インターフェースを含む工具の実施形態について一般的な説明を行う。
【００１０】
再び図１〜図４を参照すると共に、補助的に図６〜図９をも参照すると、再充電可能なバッテリパック１６は、ハウジング２２、図示の実施形態では２４ボルトのニッケル−カドミウム電池であるバッテリ２４、および、バッテリパック用端子ブロック２６を含んを含んでいる。前記ハウジング２２は、長手方向に延びる接合ライン３２で接合された第１と第２のシェル型半体部２８、３０を含んでいる。ハウジング２２の第１と第２のシェル型半体部２８、３０は、第１チャンバ３６を画成する上方部分３４と、第２チャンバ４０を画成する下方部分３８とを形成している。第１チャンバ３６はバッテリパック用端子ブロック２６を収容し、第２チャンバ４０はバッテリ２４を収容する。一例では、バッテリパック用ハウジング２２は、約１１．５cmの全長、約９．５cmの全幅および約９．５cmの全高を有している。
【００１１】
この実施形態では、ハウジング２２の第１と第２のシェル型半体部２８、３０は丈夫なプラスチックその他の適当な材料で、それぞれ単体として作られている。第１と第２のシェル型半体部２８、３０はねじ山付きの固定具４２により結合されている。ねじ山付き固定具４２は、シェル型半体部２８、４０と一体に形成されたこれと連携する孔４４、および、ねじボス部分４６とに挿入される。固定具４２はねじボス部分４６にねじ山を形成する。図示の実施形態では、ハウジング２２の第１シェル型半体部２８は、第２シェル型半体部３０の周囲に突出した突起（図示しない）を受け入れるように構成された周縁溝５０を備えている。
【００１２】
バッテリパック１６を工具１０に容易に着脱自在に取付け可能とするために、ハウジング２２の上方部分３４は一対のガイドレール５２を備えている。一対のガイドレール５２は、更に後述するように、長手方向に延びるレール５５により形成されている連携する溝５４内にスライド可能に受承される。バッテリパック１６を工具１０に対して着脱自在に取付けるのを更に容易にするために、ハウジング２２の上方部分３４は凹部５８が形成されている。凹部５８は、工具１０のハウジング１２に取り付けられているラッチ爪５９（図４）を受けるように構成されている。ラッチ爪５９の構造と作用は従来のものと同じであり、スプリングにより下方に付勢され、再充電可能なバッテリパック１６が挿入されると凹部５８に係合する。これにより、ボタン６１を手操作してラッチ爪５９を付勢しているスプリングの力を打ち負かすまで、バッテリパック１６が外れることが防がれる。ボタン６１は、本発明に関する限り、従来と同様に機能する。パック１６およびハウジング２２の連携する前記レール５２および溝５４は、バッテリパックをハウジングに着脱自在に取付けるための手段を形成する。連携するこれらのレールと溝は、取り付けのための好ましい手段ではあるが、当業者であれば、パックの取付けのために他の手段を使用可能なことは理解できるであろう。例えば、ハウジングにパックの全部または一部を受け入れるためのキャビティを設けてもよい。連携するレールと溝は、ハウジング内でのパックの精密なガイドと配置を可能にするので好ましい。
【００１３】
バッテリパック用端子ブロック２６は、丈夫なプラスチックその他の適当な材料で作られた本体部分６０と複数の端子６２とを含んでいる。端子６２は概ね平らな板状端子であり、該端子の各々は、ハウジング２２の上部チャンバ３６の一部を形成している棚部６４（図５に示されている）に実質的に垂直な面内に並設されている。板状端子６２の各々は、本体部分６０から下方に延びて通常と同様にバッテリ２４に電気的に接続されている第１の端部６６を備えている。板状端子６２は、更に、前方に延びる第２の端部６８を備えている。好適実施形態では、板状端子６２の第２の端部６８は、棚部６４から上方に離間している。
【００１４】
端子ブロック２６の本体６０は、ハウジング２０のシェル型半体部２８、３０の間に保持されている。この構成によれば、先ず端子ブロック２６をバッテリ２４に電気的に取付け、次いでシェル型半体部２８、３０の間に保持させるので組立が容易である。本体６０は、その底部に、組立の際にハウジング２２のねじボス部分４６を収容するための一対の円弧状溝７０を備えている。同様に、本体６０の上面には、ハウジング２２の凹部５８を収容するための凹部７２が設けられている。本体６０は、更に、隣合う板状端子６２同士の間に配置されかつ、最外側の各板状端子の外側にも位置する複数の絶縁部分７４を備えている。
【００１５】
図示の実施形態では、バッテリパック用端子ブロック２６は４つの板状端子６２を備えている。これらの板状端子６２の内２つはバッテリ２４用の正と負の端子である。第３の端子６２はバッテリ２４の温度を監視するためのものであり、第４の端子はバッテリの識別用である。これら第３、第４の板状端子６２は本発明の範囲外のものである。
【００１６】
図１０〜図１２によれば、工具１０に取り付けた端子ブロック７６は、本体部分８０、第１の端子部材すなわち負の端子部材８２、および、第２の端子部材すなわち正の端子部材８４を備えている。第１の端子部材８２は、負の雄型端子８６と負の雌型端子８８とを備えている。同様に、第２の端子部材８４は正の雄型端子９０と正の雌型端子９２とを備えている。後述するように、雌型端子８８、９２は、バッテリパック用端子ブロック２６の正負の板状端子６２を各々受け入れるように構成されている。雄型端子８６、９０は工具１０を充電器（図示しない）に電気的に取付けるように構成されている。図１２に示すように、作業の際にバッテリパック１６が工具１０に取付けられると、工具の端子ブロック７６の雄型端子８６、９０は、各レール５２に設けられた複数の孔９６内に受け入れられる。雄型端子８６、９０は、バッテリパック１６が工具１０に取付けられる際に、電気的には何らの機能も果たさない。
【００１７】
図１２において断面にて示すように、工具の端子ブロック７６の本体８０は、各々が板状端子６２の１つを受け入れて案内するための窓または開口部１００を画成する複数の窓フレーム９８を備えている。該工具の端子ブロック７６の雌型端子８８、９２は、互いに隣り合う窓フレーム９８内に配置されている。各窓フレーム９８は、長手方向に延びる一対の脚部１０２を備えている。フレーム９８の各脚部１０２の端部は概ね三角形状を呈し、開口部１０４への絶縁部分７４の導入、および、各開口部１００への板状端子６２の導入のための案内面を形成している。本発明のバッテリ駆動丸鋸工具１０は、更に、長手方向に延在する把手１１０を備えている。把手１１０は、中央に位置する頂点１１１を有する概ねＶ字型の部材である。把手１１０の後方脚部１１２は、後側の第１の把持部分としての機能を有する。第２の把持部分１１４は、Ｖ字型部材の前方脚部１１５から前方に延びている。第２の把持部分１１４は概ね円柱形をなし横方向に設けられている。把手１１０は、従来と同じやり方でモータを作動させるトリガを備えている。トリガ１１６は、工具使用者の人差指を受け入れるように構成された開口部１１７内に設けられている。図示の実施形態では、把手１１０は、工具ハウジング１２の上方に水平姿勢で、回転可能な鋸刃１１９に概ね平行な向きに位置している。この鋸刃が存在している面が切り込み方向を規定している。鋸刃１１８は鋸刃の保護集成体１２０により部分的に覆われている。保護集成体１２０は、固定された上方部分１２０ａと、可動の下方部分１２０ｂとを具備している。
【００１８】
バッテリパック１６が完全に装着されると、図１、２に示すように、バッテリパック１６は把手１１０の下方に実質的に長手方向に配置される。更に、バッテリパック１６は把手１１０の下で横方向に心出しされ、工具１０のスピンドル軸に関して９０°の角度で配向されている。好適実施形態においては、バッテリパック１６を含む工具１０の重心は、長手方向、および、横方向にトリガ１１６を通過する直線上に位置する。把手１１０はモータとバッテリパック１６の各々の重量を効果的に結合し、トリガ１１６の近傍に支点すなわち均衡点が確立されるようになっている。その結果、作業を行うために使用者が工具１０を把持した場合にモーメント腕がゼロになるかまたは最小になり、人間工学的見地から工具が改善される。
【００１９】
図示の実施形態では、レール５５とそれにより規定される溝５８が把手１１０と平行に配向している。ハウジング５６へのバッテリパック１６の着脱自在な取付けは、先ずレール５２を溝５４に係合させることにより行われる。次に、バッテリパック１６をハウジング１６に対して、切り込み方向に平行な方向に移動させる。バッテリパック１６のレール５２と溝５４の滑り係合により、バッテリパックの端子ブロック２６を工具の端子ブロックに対して大まかに整合させることができる。バッテリパック１６の端子ブロック２６と工具の端子ブロック７６の精密な位置合わせは、ガイドレール５２が実質的に溝５４に沿って前進した後に得られる。バッテリ駆動式丸鋸工具１０は、更に、回動軸Ｘを中心に回転可能に保護集成体１２０の前方部分１２３に枢支された調節自在なシュー１２２を備えている。当業者には理解されるように、シュー１２２は切り込み深さを制御するように調節可能である。図１、２は、比較的深い切り込みとなるようにシュー１２２が調節されたバッテリ駆動式丸鋸工具１０を示している。図４は、浅い切り込みとなるように調節されたバッテリ駆動式丸鋸工具１０を示している。
【００２０】
図３、４に加えて図５を参照する、本発明のバッテリ駆動式丸鋸工具１０は、所望の切り込み深さでハウジング１２に対して調節可能なシュー１２２を選択的に固定するためのロック機構１２６を備えている。ロック機構１２６は切り込み深さ調節ストラップ１２８を備えている。切り込み深さ調節ストラップ１２８は、調節可能なシュー１２２に固定された端部１３０に回動ブラケット１２９を備えている。切り込み深さ調節ストラップ１２８は円弧状をなし、ハウジング１２の第１の側面１３２と保護集成体１２０との間に配置されている。
【００２１】
調節可能シュー１２３を選択した切り込み深さに固定するには、ハウジング１２の第２の側面１３６に隣接して設置された手動レバー１３４を動かして制御すればよい。レバー１３４は、ハウジング１２に形成されたボス部分１４０を貫通する貫通ボルト１３８に担持されている。該貫通ボルトは、バッテリ１６と工具１０のモータ／ギヤボックス部１３９との間に設けられた開口部または自由空間を通って延びている。
【００２２】
好適実施形態では、ボス部分１４０と貫通ボルト１３８との間に中空のスリーブ１６１が設けられ、手動レバー１３４を締め付けた場合に相対回転を円滑にすると共に、ハウジング１２の第１の側面１３２と第２の側面１３６が圧迫されないようにしている。貫通ボルト１３８は、外面にねじ山を有するシャフト１４１を有し、かつ、貫通ボルト１３８の第１の端１４４に頭部１４２を有する。貫通ボルト１３８の非円形部分１４６は、ストラップ１２８の細長い溝１４８内にスライド可能に受け入れられ、相対回転しないようにされている。レバー１３４はナット１５０に固定され、該ナットはシャフト１４１の第２の端にねじ込まれている。
【００２３】
レバー１３４を動かすと、貫通ボルト１３８はナット１５０の方に移動し、ストラップ１２８をハウジング１２の側面１３２に対して引き付ける。その結果、ハウジング１２に対するストラップ１２８の移動が妨げられ、調節可能シュー１２２がハウジング１２に対して固定され、所望の切り込み深さが設定される。
【図面の簡単な説明】
【図１】本発明の好適実施形態によるバッテリ駆動式丸鋸工具の側面図である。
【図２】本発明のバッテリ駆動式丸鋸工具の前から見た斜視図である。
【図３】再充電可能なバッテリを搭載した本発明のバッテリ駆動式丸鋸工具の一部を示す後ろから見た斜視図である。
【図４】調節可能なシューが最大位置まで回転した状態の本発明のバッテリ駆動式丸鋸工具の一部を示す後ろから見た斜視図である。
【図５】切り込み深さロック機構の垂直断面図である。
【図６】本発明のバッテリ駆動式丸鋸工具の再充電可能なバッテリパックの拡大分解斜視図である。
【図７】再充電可能なバッテリパックの平面図である。
【図８】再充電可能なバッテリパックの正面図である。
【図９】再充電可能なバッテリパックの左側面図である。
【図１０】本発明のバッテリ駆動式丸鋸工具により担持される工具の端子ブロックの拡大分解斜視図である。
【図１１】再充電可能なバッテリパックのバッテリパック端子ブロックの斜視図である。
【図１２】バッテリパックと工具との間のインターフェースを示す断面図である。
【符号の説明】
１０…バッテリ駆動式丸鋸工具
１２…ハウジング
１６…バッテリパック
１１０…把手
１１８…鋸刃
１２２…シュー
１２６…切り込み深さ調節ストラップ
１２８…ロック機構
【図１】
0004545848.tif 000002
【図２】
0004545848.tif 000003
【図３】
0004545848.tif 000004
【図４】
0004545848.tif 000005
【図５】
0004545848.tif 000006
【図６】
0004545848.tif 000007
【図７】
0004545848.tif 000008
【図８】
0004545848.tif 000009
【図９】
0004545848.tif 000010
【図１０】
0004545848.tif 000011
【図１１】
0004545848.tif 000012
【図１２】
0004545848.tif 000013